(57)【要約】投射テレビシステム用のビデオ制御回路が、それぞれの陰極線管（ＣＲＴＲ，ＣＲＴＧ，ＣＲＴＢ）における個別の平均ビーム電流の検知及び制限と、自動キネスコープバイアス（ＡＫＢ）制御との組み合わせを用いる。この制御回路は、ビデオプロセッサ（Ｖ１）及びフィードバック回路（Ｆ）を含む。フィードバック回路（Ｆ）は、対応する陰極線管（ＣＲＴＲ，ＣＲＴＧ，ＣＲＴＢ）を駆動する赤（Ｒ）、緑（Ｇ）、及び青（Ｂ）のカソード電流の割合をビデオプロセッサ（Ｖ１）にフィードバックする。フィードバックされる割合に基づいて、ビデオプロセッサ（Ｖ１）は、それぞれのカソード電流（Ｒ，Ｇ，Ｂ）のブラックレベルを調整することによってＡＫＢ制御を与える。フィードバック回路（Ｆ）は、カソード電流（Ｒ，Ｇ，Ｂ）の１つの割合を検知するための少なくとも１つの平均ビーム電流の検知回路（Ａ）を含む。カソード電流（Ｒ，Ｇ，Ｂ）のうちの１つの割合が、予め決定された値を超える場合、フィードバック回路（Ｆ）は、赤（Ｒ）、緑（Ｇ）及び青（Ｂ）のカソード電流を制限するビーム制限信号（ＶＡＢＬ）を、ビデオ利得段階における利得低減を導入するためにビデオプロセッサ（Ｖ１）にフィードバックする。
2004519931.tif 000002
【特許請求の範囲】
【請求項１】
それぞれの陰極線管の個別の平均ビーム電流の検知及び制限と、自動キネスコープバイアス制御とを実行するビデオ制御回路であって、当該ビデオ制御回路は、
ビデオプロセッサと、
対応する前記陰極線管を駆動する赤、緑及び青のカソード電流の割合を、前記それぞれのカソード電流のブラックレベルを調整することにより、自動キネスコープバイアス制御するための前記ビデオプロセッサにフィードバックするフィードバック回路とを有し、
該フィードバック回路が、前記カソード電流のうちの１つの割合を検知する少なくとも１つの平均ビーム電流検知回路を有し、前記カソード電流の１つの割合が予め決定された値を超える場合に、前記赤、緑及び青のカソード電流を制限するように、ビデオ利得段階における利得低減を導入するため、ビーム制限信号を前記ビデオプロセッサにフィードバックするビデオ制御回路。
【請求項２】
前記平均ビーム電流検知回路は、
前記赤、緑及び青のカソード電流の割合が前記予め決定された値を下回る場合、自動キネスコープバイアス制御のために前記ビデオプロセッサに前記赤、緑及び青のカソード電流の割合を伝え、前記赤、緑及び青のカソード電流の割合が前記予め決定された値を上回る場合、前記赤、緑及び青のカソード電流の割合を検出する検出手段と、
前記予め決定された値を超える前記赤、緑及び青のカソード電流の割合の一部分を検知する検知手段とを有する請求項１に記載のビデオ制御回路。
【請求項３】
前記検出手段は、第１のレジスタ及び第１のトランジスタを有しており、前記第１のトランジスタが、第１の基準電圧に結合される制御端子と、前記第１のレジスタの第１の端子に結合される第１のメイン端子と、前記ビデオプロセッサに結合される第２のメイン端子とを備えた請求項２に記載のビデオ制御回路。
【請求項４】
前記検知手段は、第２の基準電圧に結合される第１の端子を備える第２のレジスタと、前記第１のレジスタの第２の端子に結合される第１のメイン端子、第３の基準電圧に結合される制御端子、及び前記第２のレジスタの第２の端子に結合される第２のメイン端子を備えた第２のトランジスタとを有する請求項３に記載のビデオ制御回路。
【請求項５】
前記検出手段が、前記第１のレジスタと並列に接続される第１のキャパシタを有する請求項３に記載のビデオ制御回路。
【請求項６】
前記検知手段が、前記第２のレジスタの前記第２の端子に接続される第２のキャパシタを有する請求項４に記載のビデオ制御回路。
【請求項７】
前記フィードバック回路が、前記第２のレジスタの前記第２の端子に結合される入力部と、前記ビデオプロセッサに前記ビーム制限信号を送信する出力部とを備える増幅器を有する請求項４に記載のビデオ制御回路。
【請求項８】
前記平均ビーム電流検知回路が、前記青のカソード電流の割合を検知する請求項１に記載のビデオ制御回路。
【請求項９】
陰極線管と、請求項１に記載のビデオ制御回路とを有する投射テレビシステム。
【発明の詳細な説明】
【０００１】
【発明の属する技術分野】
本発明は、３つの別個の陰極線管（ＣＲＴ）を含む投射テレビシステムに関し、より具体的には、自動キネスコープバイアス（ＡＫＢ）回路と個別の平均ビーム電流を検知及び制限する回路とを組み合わせる回路に関する。
【０００２】
【従来の技術】
多くのＣＲＴ搭載のビデオ表示システムは、関連付けられた画像を表示するキネスコープ又はＣＲＴの各電子銃について適正なブラック電流レベルを保持する自動キネスコープバイアス（ＡＫＢ）制御システムを用いる。ＣＲＴにおける上記ＡＫＢ制御システムの目的は、表示されたピクチャカラー及びピクチャグレイスケールの情報が、経年変化（エージング）や温度変化などのようなファクタに起因するキネスコープバイアスの変動によって不利に影響を及ぼされることを防止することである。従来のＡＫＢ制御システムは、電子銃のキネスコープブラックレベルを自動的に調整するように、各々のＡＫＢフィードバックループの制御増幅器に結合されているビームサンプリング素子を含んでいる。通常、ブラックレベルのサンプリングパルスが見えることを防止するために、調整はブランキング期間中に実施される。
【０００３】
ビデオ表示システムに用いられる従来のＡＫＢ制御システムが、米国特許公報ＵＳＰ４，６３３，３２１（’３２１特許）に開示されている。この’３２１特許は、テレビ受像機におけるキネスコープのような画像表示装置のバイアスを自動的に制御する機器を開示する。上記’３２１特許の機器は、非（ノン）ブランキングのＡＫＢ動作期間中の目に見えるアーチファクトを防止するために、グリッド駆動信号に応答するグリッドシステムを有している。より具体的には、キネスコープの電子銃が、ＡＫＢバイアスのモニタリング期間のある部分の間にキネスコープの電子銃に与えられたグリッド駆動信号に応答して、複数の水平ラインの期間中にホワイトになる（ｗｈｉｔｅ−ｇｏｉｎｇ）電流を伝えるようにされる。上記駆動信号は、このようなときにおけるホワイトの電流を除去するために水平帰線期間中に消去され、それによって、平面のキネスコープの訂正されていない帰線パターンにさもなければ生じるであろう目に見える水平ライン帰線のアーチファクトを除去する。
【０００４】
米国特許公報ＵＳＰ５，４８８，４１７（’４１７特許）は、目に見えるアーチファクトを防止するグリッド駆動回路の必要性を無くすＡＫＢシステムを開示している。この’４１７特許は、ＡＫＢ回路の制御可能な電源を用いて、ビデオ入力信号の垂直期間の選択ラインの間に、測定電流をキネスコープドライバ増幅器に与える。増幅された電流信号は、ドライバ増幅器に結合されるキネスコープにおけるビーム電流を引き起こす。比較回路は、選択ラインの間に得られたビーム電流のサンプルを基準信号と比較し、その比較に基づいて表示される画像の例えばブラックレベルなどのパラメータを調節するように、補正電流をドライバ増幅器に与える。
【０００５】
制御可能な電源に結合される信号源は、選択ラインの帰線部分の間における測定電流の生成を妨げるとともに、選択ラインのトレース部分の間における測定電流の生成を可能にする。このような構造の利点は、信号源の使用により、ＡＫＢ動作に起因する目に見えるアーチファクトの抑制が供給されるということである。
【０００６】
米国特許公報ＵＳＰ６，１８８，４３５ Ｂ１は、キネスコープ又はカラーブラウン管においてＲ，Ｇ，Ｂビーム電流の電流「画像（ピクチャ）」を用いてビーム電流を制御する回路を開示している。ビーム電流制御を実現する手段は、各々の個別のＲ，Ｇ及びＢビーム電流を別個にモニタリングして、ラインごと及び画像ごとにその対応する画像の鮮明度及び／又はピークホワイトの最大ビーム電流と、平均ビーム電流値とを保持するようにする。電流画像はカラーブラウン管の実電流に対応し、この合計が、関連付けられる高電圧変圧器から、ミリ秒レンジ（範囲）の適正な変動と長期間のドリフトとの双方までに得られるビーム電流情報と比較される。電流画像の使用により、ビーム電流制御が、Ｒ，Ｇ，Ｂの三原色に関する画像の鮮明度だけでなく、ブラウン管における全ビーム電流も迅速に調節できるようにされる。
【０００７】
電流画像を生成するために、ビーム電流制御回路は、ガンマ補正によって重み付けされるとともに増幅された、制御可能な利得を含む増幅器のＲ，Ｇ，Ｂ信号をクランプ又はタップする。ブラウン管における実電流の比率は、上記ガンマ補正手段により電流制御回路においてシミュレートされる。重み付けされた合計が、複数の信号により形成され、ビーム電流情報値に対する比較値としての役割を果たす。これら２つの情報信号が比較され、出力信号がその比較により生成される。この出力信号は、増幅器の利得を制御するのに使用される。それゆえに、電流制御回路は、Ｒ，Ｇ，Ｂビーム電流及び画像の鮮明度を調節するために各個別のＲ，Ｇ，Ｂ信号の値をモニタリングし、制御回路の出力信号と共に重み付けされた合計が、決定回路によりモニタリングされる。
【０００８】
【発明が解決しようとする課題】
Ｒ，Ｇ，Ｂの光を生成する３つの別個のＣＲＴを備える投射テレビ表示システムにおいて、個別の三原色における高レベルフラットフィールドのような特定の信号は、その光の公称の構成比（シェア）よりも非常に多くの光を供給するそれぞれのＣＲＴをもたらし得る。このようなフラットフィールド状態の下においては、合計のビーム電流を検知及び制御することが普通になっている一方で、全てのビーム電流が、３つのＣＲＴ全てについて普通に割り当てられていない場合、１つのＣＲＴが大部分を引き出す可能性がある。これが起こると、ＣＲＴの過熱（オーバーヒート）及び破損が起こり得る。このことは、番組コンテンツが何も供給されていないときに青のフラットフィールドを与えるビデオアクセサリ装置の場合、特に問題となる。
【０００９】
これらの望ましくない信号状態に対応するために、各ＣＲＴに与えられる電流の相対的な構成比を決定することが効果的になるだろう。例えば、Ｐｈｉｌｉｐｓ／Ｍａｇｎａｖｏｘ ＧＲ−９Ｄなどの従来技術においては、平均の青の電流を安全なレベルに制限するように制御された先行のＲ，Ｇ，Ｂビデオ利得により、青のＣＲＴのカソード電流は直接的に測定される。しかしながら、当業者であれば、自動ＣＲＴカットオフ安定化、すなわち、自動キネスコープバイアス（ＡＫＢ）制御に関して個別にサンプリングされたカソード電流を用いることも望ましいということに気付くであろう。
【００１０】
それゆえに、サンプリングされた電流が、ＡＫＢ制御回路と、青の駆動制限回路との双方を同時に供給されることを、それら回路の相互作用が無い状態で可能にする回路を実現することは、当業者にとって歓迎すべき向上であろう。
【００１１】
したがって、本発明の目的は、平均の青ビーム電流をモニタリングし、その青ビーム電流が予め決定された閾値を超えるか否かを決定し、上記青ビーム電流を制限するために先行のビデオ利得段階に利得低減を導入するとともに、上記青ビーム電流の決定された大きさに依存して、かかる利得低減が、特別なタイミング信号を使用することなく平均ビーム電流とＡＫＢとのどちらも実施することができるビデオ制御回路を提供することである。
【００１２】
【課題を解決するための手段】
本発明は、独立請求項によって規定される。従属請求項は、有利な形態を規定する。
【００１３】
【発明の実施の形態】
本発明の上述及び他のより詳しい態様は、以下の添付図面を参照して、例として以下に詳細に説明されるであろう。
【００１４】
本明細書において説明される実施の形態が、例示的な目的のみに関しており、本発明の適用範囲及びその精神を限定するものとしては決して意味されていないことに読み手は留意すべきである。本明細書に添付される特許請求の範囲の文言のみが、本発明の適用範囲及びその精神を限定するものとする。
【００１５】
従来技術の図１は、通常の自動キネスコープバイアス制御部を備えたビデオプロセッサを示す。より具体的には、ビデオプロセッサＶ１が、赤Ｒ、緑Ｇ及び青Ｂのカソード電流をそれぞれが発生するように、赤の駆動信号ＶＲ、緑の駆動信号ＶＧ及び青の駆動信号ＶＢを出力する。青の駆動信号ＶＢが、ＮＰＮトランジスタ増幅器Ｑ４に供給され、このコレクタ電流がＰＮＰトランジスタＱ５を駆動する。緑の駆動信号ＶＧが、ＮＰＮトランジスタ増幅器Ｑ９に供給され、このコレクタ電流がＰＮＰトランジスタＱ１０を駆動する。赤の駆動信号ＶＲが、ＮＰＮトランジスタ増幅器Ｑ１４に供給され、このコレクタ電流がＰＮＰトランジスタＱ１５を駆動する。Ｑ５、Ｑ１０及びＱ１５のエミッタ電流が、ＣＲＴＢ、ＣＲＴＧ及びＣＲＴＲの陰極線管をそれぞれ駆動する。
【００１６】
Ｑ５、Ｑ１０及びＱ１５のコレクタ電流は、ビデオプロセッサＶ１の入力部ＡＫＢにフィードバックされ、これが駆動信号ＶＲ，ＶＧ，ＶＢのブラックレベルを、ほぼゼロの電流Ｒ，Ｇ，Ｂのブラック電流レベルがもたらされるレベルに保持する。本発明は、それぞれのＰＮＰトランジスタＱ５、Ｑ１０及びＱ１５のコレクタを流れる３つの電流のうちの少なくとも１つの存在を利用して、追加として平均のカソード電流Ｒ，Ｇ，Ｂを検出するとともに、これらカソード電流が規定された電流レベルを超えるか否かを決定する。特定の陰極線管の平均ビーム電流がその規定されたレベルを超える場合、上記ビデオプロセッサは、制御信号を入力部ＡＫＢにおいて備え、駆動信号ＶＲ，ＶＧ，ＶＢを調整することによって、平均ビーム電流のレベルを制限する。
【００１７】
図２は、本発明のビデオ制御回路の実施の形態を示す。この図２の回路は、平均ビーム電流の検知用の平均ビーム電流検知回路Ａを、図１に示され、上述したものに示される通常のＡＫＢ回路に加えているフィードバック回路Ｆを示す。図面及び説明を簡略にするために、ドライバ電流のうち１つの電流、すなわち、青の電流用の追加の回路のみが示され且つ説明される。
【００１８】
ＰＮＰトランジスタＱ５を通過するコレクタ電流は、陰極線管ＣＲＴＢを駆動する青のカソード電流Ｂである上記トランジスタのエミッタ電流とほぼ等しい。したがって、カソード電流Ｂは、レジスタＲ１と、ＰＮＰトランジスタＱ１とダイオードＤ１とを介して、ビデオプロセッサＶ１のＡＫＢフィードバックポートＡＫＢに戻される。キャパシタＣ１及びレジスタＲ１の並列回路の両端の電圧降下は、時定数Ｒ１、Ｃ１を適切に選択することにより、平均の青のビーム電流に比例する。レジスタＲ１の両端の電圧降下が、レジスタＲ２の両端の電圧により決定される予め決定された閾値を超えるとき、ＰＮＰトランジスタＱ２及びＮＰＮトランジスタＱ３は、ビデオプロセッサＶ１の自動ビーム制限フィードバック入力部ＡＢＬに、ビーム制限信号ＶＡＢＬフィードバックを介して駆動信号ＶＲ，ＶＧ，ＶＢの利得低減を伝え且つ導入する。レジスタＲ５は、ＮＰＮトランジスタＱ３を駆動する信号をフィルタにかけるローバスフィルタリング手段を供給するためにキャパシタＣ２と並列に接続されている。このフィルタが存在するとき、キャパシタＣ１は削除されることが可能である。ダイオードＤ１の代わりに、レジスタが使用されることもできる。レジスタＲ１、キャパシタＣ１及びトランジスタＱ１は、青の電流Ｂが予め決定された値を超えるか否かを検出する検出回路を構成する。予め決定された値を超える場合、上記検出回路は、青の電流Ｂの一部分を検知回路に通す。トランジスタＱ２と、レジスタＲ５とキャパシタＣ２とにより構成される上記検知回路は、予め決定された値を超える青の電流Ｂの上記部分を検知する。
【００１９】
それにより、電流の大きさ（マグニチュード）に依存して、ＡＫＢ部と、平均ビーム電流制限部とのどちらかが、追加の特別なタイミング信号を必要とせずに本発明の回路により実施される。Ｒ２の両端の電圧は、レジスタＲ３，Ｒ２及びＲ４から構成される抵抗デバイダと、供給電圧ＶＳとにより決定される。
【００２０】
上記に説明された回路は、赤、緑及び青の光（信号）を生成する３つの別個の陰極線管ＣＲＴＲ，ＣＲＴＧ及びＣＲＴＢをもつ投射テレビ表示システムにおいて好適に使用されることができる。
【００２１】
上述された実施の形態は説明のためであって、本発明を限定するものではなく、当業者であれば、添付された特許請求の範囲から逸脱することなく多くの代替えの実施の形態を設計することが可能であろうことが留意されるべきである。特許請求の範囲において、括弧内に付されたいずれの参照符号も、特許請求の範囲を限定するものとして解釈されるべきではない。動詞「有する（ｃｏｍｐｒｉｓｉｎｇ）」は、請求項に列記されたもの以外の構成要素又はステップの存在を除外するものではない。構成要素に先行する冠詞「ａ」又は「ａｎ」は、このような構成要素が複数存在することを除外するものではない。本発明は、複数の別個のエレメントを有するハードウェアによって、また適切にプログラムされたコンピュータによって実現されることができる。いくつかの手段を列挙する装置の請求項において、これら手段のうちいくつかが、１つの同じハードウェアアイテムによって実現されることができる。ある特定の方策が互いに異なる従属請求項に記載されているという単なる事実が、これら方策の組み合わせが有利に用いられることはできないということを示すものではない。
【図面の簡単な説明】
【図１】従来の自動キネスコープバイアス（ＡＫＢ）制御回路の概略図である。
【図２】ＡＫＢ回路と、平均ビーム電流の検知及び制限回路との双方を有する本発明の回路のある実施の形態の概略図である。
【国際公開パンフレット】
2004519931.tif 000003
2004519931.tif 000004
2004519931.tif 000005
2004519931.tif 000006
2004519931.tif 000007
2004519931.tif 000008
2004519931.tif 000009
2004519931.tif 000010
2004519931.tif 000011
2004519931.tif 000012
【国際調査報告】
2004519931.tif 000013
2004519931.tif 000014